(57)【要約】【課題】温水洗浄便座において、洗浄開始スイッチの端子部材間が結露水によって短絡した状態において、便座に着座したとき着座検出スイッチが動作するため、便座に着座した途端に、洗浄ノズルが作動して洗浄ノズルから洗浄水が噴出する事態が生じる。本発明は、このような洗浄開始スイッチの端子部材間短絡が生じた場合には、便座に着座しても洗浄水が噴出する事態が生じないようにする。【解決手段】制御部は、着座検出装置の着座検出状態において洗浄開始スイッチによる洗浄指令が発せられたときは、弁装置を開いて洗浄ノズルから洗浄水を噴出する通常モードとし、着座検出装置が着座未検出状態であり洗浄開始スイッチの端子部材間が短絡した場合には、弁装置を閉じたままとし、且つ警報装置にて異常を報知する異常モードとする。【選択図】図４
2009221656.tif 000002
【特許請求の範囲】
【請求項１】
水道水配管に接続された導水管を通って水道水がそのまままたは電気ヒータで加熱され
て洗浄水として洗浄ノズルから噴出し便座に着座した人の部位を洗浄する温水洗浄便座装
置において、前記便座に着座したことを検出する着座検出装置と、前記洗浄ノズルから洗
浄水を噴出させるように洗浄指令する手動操作式洗浄開始スイッチと、前記洗浄ノズルか
ら洗浄水を噴出するように前記導水管を開閉する弁装置と、異常状態を報知する警報装置
と、前記着座検出装置及び前記洗浄開始スイッチの動作に基づき前記弁装置及び前記警報
装置を制御する制御部を備え、前記制御部は、前記着座検出装置の着座検出状態において
前記洗浄開始スイッチによる洗浄指令が発せられたときは、前記弁装置を開いて前記洗浄
ノズルから洗浄水を噴出する通常モードとし、前記着座検出装置が着座未検出状態であり
前記洗浄開始スイッチの端子部材間が短絡した場合には前記弁装置を閉じたままとし、且
つ前記警報装置にて異常を報知する異常モードとすることを特徴とする温水洗浄便座装置
。
【請求項２】
前記警報装置は、前記洗浄開始スイッチの操作部近傍に配置されたＬＥＤ（発光ダイオ
ード）を含むことを特徴とする請求項１に記載の温水洗浄便座装置。
【発明の詳細な説明】
【技術分野】
【０００１】
本発明は、水道水配管に接続された導水管を通って供給される水道水が、水道水のまま
または加熱された温水となって洗浄ノズルから噴出して、便座に着座した人の部位を洗浄
する温水洗浄便座装置に関する。
【背景技術】
【０００２】
従来の温水洗浄便座装置として、洗浄ノズル６１、６２による洗浄開始、洗浄停止等を
行うスイッチ３７を取り付けた絶縁性基板３６を内蔵し、前記スイッチ３７の手動操作部
２０、２１、２２を上面に備えた本体１０が、便座８１の側方に配置された温水洗浄便座
装置がある。（特許文献１参照）。
【特許文献１】特開平１１−１８１８６０号公報
【発明の開示】
【発明が解決しようとする課題】
【０００３】
このようにスイッチ３７を取り付けた基板３６を内蔵した本体１０内は、温水供給源等
の温度によって加温されるため、この本体１０内部の温度に比してその周囲温度が低い場
合には、その両方の温度差によって、本体１０内部に結露を生じることがある。基板３６
にはスイッチ３７が取り付けられており、本体１０内部面の結露水がこの基板に滴下して
、基板に取り付けたスイッチの接点から延びる端子部材間が短絡し、スイッチが操作され
ないにも拘わらず、このスイッチが操作されたことと同じ状況が発生し、所謂、誤動作の
原因となる。この誤動作の一つとして、前記スイッチが洗浄開始スイッチであれば、この
洗浄開始スイッチの端子部材間が結露水によって短絡した状態において、便座に着座した
とき着座検出スイッチが動作するため、便座に着座した途端に、洗浄ノズルが作動して洗
浄ノズルから洗浄水が噴出する事態が生じることとなる。
【０００４】
防水対策として、スイッチと基板全体をエポキシ樹脂等でモールドする防水対策がある
が、これはかなりのコストアップになる問題がある。このため、基板全体をプラスチック
フィルムでカバーする対策が採用されるが、周囲温度が低い場合にプラスチックフィルム
内の空気中の湿気が水滴となり、この水滴が基板に滴下して、基板に取り付けたスイッチ
の接点から延びる端子部材間が短絡する虞がある。
【０００５】
このように防水対策を行なった場合にも、他の要因（例えば、可動接点部材が固定接点
部材に当接したままの短絡状態、または、基板が吸湿した状態での短絡等）によって、万
一洗浄開始スイッチの端子部材間短絡が生じた場合、または防水対策を行わなかった場合
において結露水によって洗浄開始スイッチの端子部材間短絡が生じた場合、上記のように
、便座に着座した途端に、洗浄ノズルが作動して洗浄ノズルから洗浄水が噴出する事態が
生じることとなる。
【０００６】
本発明は、このような洗浄開始スイッチの端子部材間短絡が生じた場合には、便座に着
座しても洗浄水が噴出する事態が生じないようにするものである。また、この異常状態が
発生していることを使用者に報知して、異常解決を促すようにするものである。
【課題を解決するための手段】
【０００７】
第１発明は、水道水配管に接続された導水管を通って水道水がそのまままたは電気ヒー
タで加熱されて洗浄水として洗浄ノズルから噴出し便座に着座した人の部位を洗浄する温
水洗浄便座装置において、前記便座に着座したことを検出する着座検出装置と、前記洗浄
ノズルから洗浄水を噴出させるように洗浄指令する手動操作式洗浄開始スイッチと、前記
洗浄ノズルから洗浄水を噴出するように前記導水管を開閉する弁装置と、異常状態を報知
する警報装置と、前記着座検出装置及び前記洗浄開始スイッチの動作に基づき前記弁装置
及び前記警報装置を制御する制御部を備え、前記制御部は、着座検出装置の着座検出状態
において前記洗浄開始スイッチによる洗浄指令が発せられたときは、前記弁装置を開いて
前記洗浄ノズルから洗浄水を噴出する通常モードとし、前記着座検出装置が着座未検出状
態であり前記洗浄開始スイッチの端子部材間が短絡した場合には前記弁装置を閉じたまま
とし、且つ前記警報装置にて異常を報知する異常モードとすることを特徴とする。
【０００８】
第２発明は、第１発明において、前記警報装置は、前記洗浄開始スイッチの操作部近傍
に配置されたＬＥＤ（発光ダイオード）を含むことを特徴とする。
【発明の効果】
【０００９】
第１発明によって、通常モードでは、使用者が便座に着座して着座検出装置が検出した
状態において洗浄開始スイッチを操作すれば、弁装置が開いて洗浄ノズルから洗浄水が噴
出されて、所望の洗浄が行われる。しかし、使用者が便座に着座していない着座未検出状
態において、洗浄開始スイッチの端子部材間が何らかの要因によって短絡した状態になっ
ておれば、この状態で使用者が便座に着座しても、弁装置を閉じたままであり、使用者が
便座に着座した途端に洗浄水が噴出することもなくなる。また、この状態は異常状態であ
ることを警報装置にて報知するため、使用者はそれによって異常解決の対策をとることが
できるものとなる。
【００１０】
第２発明によって、使用者が便座に着座したとき洗浄開始スイッチの端子部材間が短絡
しておれば、使用者が洗浄開始スイッチを操作しても洗浄ノズルから洗浄水が噴出されず
、この故障状態は、ＬＥＤ（発光ダイオード）の発光状態によって把握できる。しかも、
このＬＥＤ（発光ダイオード）は、洗浄開始スイッチの操作部近傍に配置されているため
、使用者が目視し易く、異常解決を促す効果として好ましいものとなる。
【発明を実施するための最良の形態】
【００１１】
本発明の温水洗浄便座装置は、水道水配管に接続された導水管を通って水道水がそのま
ままたは電気ヒータで加熱されて洗浄水として洗浄ノズルから噴出し便座に着座した人の
部位を洗浄する温水洗浄便座装置において、前記便座に着座したことを検出する着座検出
装置と、前記洗浄ノズルから洗浄水を噴出させるように洗浄指令する手動操作式洗浄開始
スイッチと、前記洗浄ノズルから洗浄水を噴出するように前記導水管を開閉する弁装置と
、異常状態を報知する警報装置と、前記着座検出装置及び前記洗浄開始スイッチの動作に
基づき前記弁装置及び前記警報装置を制御する制御部を備え、前記制御部は、着座検出装
置２５の着座検出状態において前記洗浄開始スイッチによる洗浄指令が発せられたときは
、前記弁装置を開いて前記洗浄ノズルから洗浄水を噴出する通常モードとし、前記着座検
出装置が着座未検出状態であり前記洗浄開始スイッチの端子部材間が短絡した場合には前
記弁装置を閉じたままとし、且つ前記警報装置にて異常を報知する異常モードとするもの
であり、本発明の実施例を以下に記載する。
【実施例１】
【００１２】
本発明の実施形態について説明する。図１は本発明に係る温水洗浄便座装置の蓋が閉ま
った状態の斜視図、図２は本発明に係る温水洗浄便座装置の蓋と機能部分のカバーを取り
外した状態の機能部分と制御ボックスを示す正面斜視図、図３は本発明に係る温水洗浄便
座装置の着座検出スイッチ装置部分の断面図、図４は本発明に係る温水洗浄便座装置の待
機モードを示す構成図、図５は本発明に係る温水洗浄便座装置のおしり洗浄モードを示す
構成図、図６は本発明に係る温水洗浄便座装置のビデ洗浄モードを示す構成図、図７は本
発明に係る温水洗浄便座装置の制御装置の構成図である。
【００１３】
図において、１は本発明の温水洗浄便座装置を示しており、裏側から絶縁被覆されたコ
ードヒータ（図示せず）で加温される便座２と、便座２の上面を覆う開閉蓋３と、便座２
及び開閉蓋３の後方に位置して後述の機能部１０を配置すると共に便座２及び開閉蓋３を
開閉回動可能に支持する基材部８を備えている。基材部８には、洗浄ノズルとして便座２
の後部下側へ延びるおしり（肛門）洗浄用ノズル４Ａとビデ洗浄用ノズル４Ｂ、温水タン
ク５、及び電装部６等の機能部１０が配設され、この機能部１０を覆うようにカバー７が
基材部８に着脱自在に取り付けられている。カバー７の一部がパネル７Ａになっている。
蓋３の後端部の駆動側（図では右側）は、基材部８に支持部材を介して取り付けた電動機
装置９によって往復回転する回転軸１１に取り付けられて、蓋３が上方に開閉回動可能で
ある。
【００１４】
また、便座２の後端部の駆動側（図では左側）は、基材部８に取り付けた電動機装置１
２によって往復回転する回転軸１３に取り付けられて、便座２が上方に開閉回動可能であ
る。また、便座２の後端部の従動側（図では右側）は、便座２の後端部から水平方向に外
向きに突出した円筒状軸部２４が一体に形成され、この円筒状軸部２４が後述の着座検出
装置２５のタクトスイッチ２８の作動部として作用する。なお、この円筒状軸部２４へ緩
く進入するように基材部８から延びた水平方向軸によって、回動可能且つ上下動可能に支
持するようにしてもよい。また、円筒状軸部２４が基材部８の軸受け部に上下動可能に支
持される構成でもよい。
【００１５】
洗浄水として温水タンク５へ供給される水道水は、パイプジョイント装置１４によって
水道水配管に接続された導水管１９に取り付けたごみ取り用のストレーナ６２と逆止弁６
３を通過した後、電磁弁４０と減圧弁４１を順次通り、後述の開閉弁４７を経て温水タン
ク５内の底部へ供給される。１９Ａは温水タンク５へ供給される水道水路の途中に設けた
接続部である。図示していないが、機能部１０は温風用電気ヒータを内蔵した温風供給装
置を備えており、これが基材部８に取り付けられていて、便座２の後部下側へ延びる温風
ノズルから温風を供給して、洗浄後のお尻を乾燥するようにしている。
【００１６】
基材部８には、便座２の側方（図では右側）に配置した上面開口の制御ボックス８０が
連結されており、機能部１０を覆うカバー７に一体または別体に制御ボックス８０の上面
を覆うカバー８４が設けられている。制御ボックス８０内には、おしり（肛門）洗浄用ノ
ズル４Ａとビデ洗浄用ノズル４Ｂによる洗浄開始、洗浄停止等を行うスイッチＳＷを取り
付けた絶縁性基板８１を内蔵している。制御ボックス８０の上面開口は、カバー８４で覆
われ、カバー８４の上面はスイッチＳＷの手動操作部８３を構成する可撓性薄板８５で覆
われている。手動操作部８３を押すことによって、スイッチＳＷが作動する。
【００１７】
前記スイッチＳＷは絶縁性基板８１に取り付けられており、このスイッチＳＷは、実施
例では、おしり（肛門）洗浄開始スイッチ４３Ａ、ビデ洗浄開始スイッチ４３Ｂ、洗浄停
止スイッチ４４、温水タンク５の加熱用シーズヒータ４２のＯＮ−ＯＦＦスイッチ４５、
洗浄水の水勢調節スイッチ４９Ａ、４９Ｂ、温水タンク５の温水温度可変スイッチ６４等
である。絶縁性基板８１には、これらのスイッチＳＷが接続された制御部６０（制御回路
部６０と称してもよい）と、後述の異常を報知する警報装置８２としてのＬＥＤ（発光ダ
イオード）８２が取り付けられている。ＬＥＤ（発光ダイオード）８２の発光が制御ボッ
クス８０の上面から目視できるように、ＬＥＤ（発光ダイオード）８２の光は、カバー８
４を貫通した透孔から可撓性薄板８５の透明部に照射される。
【００１８】
温水タンク５内の水を加熱するための温水ヒータとして、通電にて発熱するシーズヒー
タ４２が温水タンク５内の底部に配設されている。シーズヒータ４２を通電する温水モー
ドとするか、非通電の冷水モード（供給される水道水温）とするかは、プッシュ・プッシ
ュ式の温水ヒータスイッチ４５によって制御される。温水タンク５の上壁には、温水タン
ク５内の異常温度を検知してシーズヒータ４２への通電回路を遮断する温度検知部２１と
、温水タンク５内の洗浄水レベルを検知して電磁弁４０を開閉制御して、温水タンク５内
の洗浄水レベルを所定レベルに制御するフロートスイッチ２２と、温水タンク５内の圧力
が外気圧よりも低くなったとき温水タンク５内と外気を連通する負圧弁２３Ａを備えた気
圧調整用パイプ２３Ｂの取り付け部２３が設けられている。また温水タンク５内には、温
水タンク５内の温水温度は、温水モードにおいて温水温度可変スイッチ６４によって使用
者が任意の設定温度に設定できる。温水モードにおいてシーズヒータ４２への通電を制御
して、温水タンク５内の温水温度を前記設定温度に維持するため、温水タンク５内の温水
温度を検知するサーミスタ６１が設けられている。
【００１９】
おしり洗浄用ノズル４Ａとビデ洗浄用ノズル４Ｂは、温水タンク５内の洗浄水の水圧に
よって進出するようにするために、洗浄モードに入る前の待機モードでは、おしり洗浄用
ノズル４Ａとビデ洗浄用ノズル４Ｂは、図４のように、それぞれコイルバネ４Ａ２、４Ｂ
２によって、ノズルカバー４Ａ１、４Ｂ１内に収容された状態であり、洗浄モードにおい
て、おしり洗浄用ノズル４Ａとビデ洗浄用ノズル４Ｂは、それぞれコイルバネ４Ａ２、４
Ｂ２を圧縮しつつ前方へ進出する仕組みである。
【００２０】
組み立てのし易さ等を考慮して、図に示すように、コイルバネ４Ａ２、４Ｂ２及びノズ
ルカバー４Ａ１、４Ｂ１を含むおしり洗浄用ノズル４Ａとビデ洗浄用ノズル４Ｂの機構、
ステッピングモータ４６を含む開閉弁４７機構とノズル通路切り替え弁４８機構は、１つ
の洗浄ノズルユニットＮＵを構成している。
【００２１】
導水管１９によって温水タンク５へ供給される水道水の給水路には、この給水路を開閉
する開閉弁４７が設けられている。導水管１９は、電磁弁４０または開閉弁４７のいずれ
かの弁装置によって開閉するものでもよいが、実施例では電磁弁４０と開閉弁４７の二つ
弁装置によって開閉されるようにしているのは、一方の弁装置が導水管１９を開いたまま
で故障しても、他方の弁装置が導水管１９を閉じておれば、水道水圧が温水タンク５へ掛
かることが無いための安全を考慮したものである。
【００２２】
温水タンク５内の洗浄水をおしり洗浄用ノズル４Ａへ供給するか、ビデ洗浄用ノズル４
Ｂへ供給するかを切り替えるノズル通路切り替え弁４８が、おしり洗浄用ノズル４Ａ側の
入口通路７４Ａとビデ洗浄用ノズル４Ｂ側の入口通路７４Ｂの分岐部７２に設けられてい
る。開閉弁４７とノズル通路切り替え弁４８は、１つのステッピングモータ４６によって
正転・逆転する回動軸７０と、この回動軸７０を収容した筒体７１によって構成されてい
る。開閉弁４７機構は、回動軸７０の回転によって水入口通路ＥＴと水出口通路ＸＴを連
通する構成である。また、ノズル通路切り替え弁４８の機構は、回動軸７０の先端から軸
方向へ形成した有底の中空通路７３と、この中空通路７３に連通するように回動軸７０の
一部を貫通した連通路４８Ａが形成されていて、回動軸７０の回転によっておしり洗浄用
ノズル４Ａ側へ洗浄水を流すか、ビデ洗浄用ノズル４Ｂ側へ洗浄水を流すかの切り替えを
行なう構成である。
【００２３】
洗浄モードに入る前の待機モードにおいては、図４に示すように、開閉弁４７機構では
、水入口通路ＥＴと水出口通路ＸＴを連通しない位置にあり、開閉弁４７が閉じた状態で
ある。また、ノズル通路切り替え弁４８機構では、通路４８Ａが筒体７１によって塞がれ
た状態であり、中空通路７３がおしり洗浄用ノズル４Ａ側の入口通路７４Ａとビデ洗浄用
ノズル４Ｂ側の入口通路７４Ｂのいずれにも連通していない状態である。このため、図４
に示すように、おしり洗浄用ノズル４Ａとビデ洗浄用ノズル４Ｂが、それぞれコイルバネ
４Ａ２、４Ｂ２によって、ノズルカバー４Ａ１、４Ｂ１内に収容された状態である。
【００２４】
温水タンク５内の洗浄水レベルは、待機モードでは、図４に示すようにタンク水送出パ
イプ７５の上端開口よりも若干低いＷＬラインに維持されており、後述のようにおしり洗
浄モード及びビデ洗浄モードのいずれかの洗浄モードになれば、水道水の水圧によってＷ
Ｌラインよりも高い水位となり、タンク水送出パイプ７５の上端開口からタンク水送出パ
イプ７５内へ洗浄水が流入する状態となる。
【００２５】
便座２は、その裏側に間隔を存して複数個の弾性脚部が設けられ、便器上面フランジ部
に便座２を倒した状態で、この弾性脚部が便器上面フランジ部に当接する。この弾性脚部
によって、便座２に着座した使用者の体重によって軸部２４側が下降する構成であり、軸
部２４が下降することによって、スイッチカバー３４がコイルバネ３５を圧縮して、着座
検出装置２５のタクトスイッチ２８の作動部２９が下方へ押され、タクトスイッチ２８が
作動する仕組みである。また、着座状態の便座２から人が離れることによって、タクトス
イッチ２８が復帰する。
【００２６】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、洗浄モードとなり、制御部６０が作動して、おしり洗浄用ノズル４Ａまたは
ビデ洗浄用ノズル４Ｂが進出してその進出したノズルから洗浄水が噴出する。この噴出は
、洗浄停止スイッチ４４を便座２の使用者がＯＮ操作することによって停止する。
【００２７】
このように、おしり洗浄開始スイッチ４３Ａまたはビデ洗浄開始スイッチ４３Ｂの操作
によって、制御部６０が作動し、温水タンク５内の洗浄水（シーズヒータ４２が通電モー
ドによる温水と、シーズヒータ４２が非通電モードによる水道水そのままの場合がある）
が、おしり洗浄用ノズル４Ａまたはビデ洗浄用ノズル４Ｂから噴出する制御について説明
する。
【００２８】
水道水は、後述のように、水道水配管に接続された導水管１９に取り付けた電磁弁４０
と減圧弁４１を順次通り、開閉弁４７を経て温水タンク５へ供給される。通常使用状態に
おいて洗浄モードに入る前の待機モードでは、電磁弁４０と開閉弁４７が導水管１９を閉
じており、予め供給されている温水タンク５内の洗浄水レベルは、図４に示すＷＬライン
に維持されている。温水タンク５の水は、シーズヒータ４２が通電モードになっておれば
温水となり、シーズヒータ４２が非通電モードであれば水道水そのままである。洗浄モー
ドでない待機モードでは、おしり洗浄用ノズル４Ａとビデ洗浄用ノズル４Ｂは、図４のよ
うにそれぞれコイルバネ４Ａ２、４Ｂ２によって、ノズルカバー４Ａ１、４Ｂ１内に収容
された退避状態（後退状態）である。
【００２９】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、制御部６０が作動し洗浄モードとなる。即ち、タクトスイッチ２８による着
座検出と、おしり洗浄開始スイッチ４３Ａまたはビデ洗浄開始スイッチ４３ＢのＯＮの両
方が整ったとき（ＡＮＤ状態）によって、洗浄モードとなる。
【００３０】
この洗浄モードは、おしり洗浄モードとビデ洗浄モードがある。先ず、おしり洗浄モー
ドについて説明する。おしり洗浄開始スイッチ４３Ａに対応する手動操作部８３を押して
おしり洗浄開始スイッチ４３ＡをＯＮすることにより、制御部６０の動作によって、通電
によって電磁弁４０が開くと共に、ステッピングモータ４６が制御部６０からのパルス信
号によってステップ作動して回動軸７０が正回転し、開閉弁４７機構では、水入口通路Ｅ
Ｔと水出口通路ＸＴを連通するように開閉弁４７が開いた状態となり、水道水圧が温水タ
ンク５内へ掛かる状態となる。また、このステッピングモータ４６の動作によって、ノズ
ル通路切り替え弁４８機構では、連通路４８Ａがおしり洗浄用ノズル４Ａ側の入口通路７
４Ａに連通した状態となる。このため、水道水圧が温水タンク５内に掛かることにより、
温水タンク５内の洗浄水がおしり洗浄用ノズル４Ａへ供給され、図５のように、その水圧
によっておしり洗浄用ノズル４Ａがコイルバネ４Ａ２をそのバネ力に抗して圧縮しつつ、
前方へ進出し、先端のノズルから洗浄水が噴出する。
【００３１】
次に、ビデ洗浄モードについて説明する。ビデ洗浄開始スイッチ４３Ｂに対応する手動
操作部８３を押してビデ洗浄開始スイッチ４３ＢをＯＮすることにより、制御部６０の動
作によって、通電によって電磁弁４０が開くと共に、ステッピングモータ４６が制御部６
０からのパルス信号によってステップ作動して回動軸７０が逆回転し、開閉弁４７機構で
は、水入口通路ＥＴと水出口通路ＸＴを連通するように開閉弁４７が開いた状態となり、
水道水圧が温水タンク５内へ掛かる状態となる。また、このステッピングモータ４６の動
作によって、ノズル通路切り替え弁４８機構では、連通路４８Ａがビデ洗浄用ノズル４Ｂ
側の入口通路７４Ｂに連通した状態となる。このため、水道水圧が温水タンク５内に掛か
ることにより、温水タンク５内の洗浄水がビデ洗浄用ノズル４Ｂへ供給され、図６のよう
に、その水圧によってビデ洗浄用ノズル４Ｂがコイルバネ４Ｂ２をそのバネ力に抗して圧
縮しつつ、前方へ進出し、先端のノズルから洗浄水が噴出する。
【００３２】
おしり洗浄モードまたはビデ洗浄モードのいずれにおいても、噴出する洗浄水の流量は
、流量可変スイッチ４９Ａ、４９Ｂによって行なう。待機モードから洗浄モードになった
ときは、最大流量と最小流量の中間流量に設定されるようになっており、この状態から使
用者が水勢を強くするときは水勢調節スイッチ８７をＯＮ操作し、水勢を弱くするときは
水勢調節スイッチ８８をＯＮ操作することによって、制御部６０によってステッピングモ
ータ４６が作動して回動軸７０が回動し、それによってノズル通路切り替え弁４８の開度
（連通路４８Ａが筒体７１によって塞がれる範囲）が変わり、選択されたおしり洗浄用ノ
ズル４Ａまたはビデ洗浄用ノズル４Ｂから噴出する洗浄水の流量を可変できる。
【００３３】
おしり洗浄モードまたはビデ洗浄モードのいずれにおいても、洗浄停止スイッチ４４を
便座２の使用者がＯＮ操作することによって停止する。洗浄停止スイッチ４４をＯＮ操作
することにより、制御部６０の動作によって、電磁弁４０が非通電となって導水管路を閉
じると共に、ステッピングモータ４６が制御部６０からのパルス信号によってステップ作
動し、開閉弁４７機構では、水入口通路ＥＴと水出口通路ＸＴを非連通状態とし、開閉弁
４７が閉じた状態に復帰し、また、ノズル通路切り替え弁４８機構も、連通路４８Ａが入
口通路７４Ａ、７４Ｂのいずれにも連通しない状態に復帰する。このようにして、おしり
洗浄用ノズル４Ａまたはビデ洗浄用ノズル４Ｂへ水道水圧が掛からなくなるため、磁弁４
０と開閉弁４７が閉じることにより、水道水圧が温水タンク５内へ掛からなくなるため、
おしり洗浄用ノズル４Ａまたはビデ洗浄用ノズル４Ｂは、それぞれ対応するコイルバネ４
Ａ２、４Ｂ２によって、図４のように、ノズルカバー４Ａ１、４Ｂ１内に収容された状態
に復帰する。
【００３４】
上記において、使用者が便座２に着座していない状態、即ち、着座検出装置２５が着座
未検出状態において、洗浄指令する手動操作式洗浄開始スイッチ４３Ａの端子部材間が、
何らかの要因によって短絡した場合には、手動操作式洗浄開始スイッチ４３ＡがＯＮ状態
であるため、この状態で使用者が便座２に着座して着座検出装置２５が着座検出状態とな
れば、上記のように、着座検出装置２５による着座検出と、おしり洗浄開始スイッチ４３
ＡのＯＮの両方が整う状態（ＡＮＤ状態）となり、使用者が便座２に着座した途端に洗浄
ノズル４Ａから洗浄水が噴出する状態となる。これは異常状態である。また、使用者が便
座２に着座していない状態、即ち、着座検出装置２５が着座未検出状態において、洗浄指
令する手動操作式洗浄開始スイッチ４３Ｂの端子部材間が、何らかの要因によって短絡し
た場合には、この状態で使用者が便座２に着座して着座検出装置２５が着座検出状態とな
れば、上記のように、着座検出装置２５による着座検出と、ビデ洗浄開始スイッチ４３Ｂ
のＯＮの両方が整う状態（ＡＮＤ状態）となり、洗浄ノズル４Ｂから洗浄水が噴出する異
常状態となる。
【００３５】
このような異常状態は、使用者の意図しないものであり、好ましくない。このため、本
発明は、このような洗浄開始スイッチ４３Ａまたは４３Ｂの端子部材間短絡が生じた場合
には、便座２に着座しても洗浄水が噴出する事態が生じないようにするものである。また
、この異常状態が発生していることを警報装置にて使用者に報知して、異常解決を促すよ
うにするものである。以下、この具体的な構成を説明する。
【００３６】
本発明では、水道水配管に接続された導水管１９を通って水道水がそのまままたは電気
ヒータ４２で加熱されて洗浄水として洗浄ノズル（上記実施例では４Ａ、４Ｂ）から噴出
し便座２に着座した人の部位を洗浄する温水洗浄便座装置において、便座２に着座したこ
とを検出する着座検出装置２５と、前記洗浄ノズル（上記実施例では４Ａ、４Ｂ）から洗
浄水を噴出させるように洗浄指令する手動操作式洗浄開始スイッチ（上記実施例では４３
Ａ、４３Ｂ）と、前記洗浄ノズル（上記実施例では４Ａ、４Ｂ）から洗浄水を噴出するよ
うに導水管１９を開閉する弁装置（上記実施例では電磁弁４０、開閉弁４７）と、異常状
態を報知する警報装置８２と、前記着座検出装置及び記洗浄開始スイッチの動作に基づき
前記弁装置及び前記警報装置を制御する制御部６０を備えている。
【００３７】
通常動作を行なう通常モードでは、上記のように、使用者が便座２に着座して着座検出
装置２５が着座検出状態であるとき、前記洗浄開始スイッチ（上記実施例では４３Ａ、４
３Ｂ）により洗浄指令が発せられたときは、制御部６０が動作して、水道水圧が洗浄ノズ
ル（上記実施例では４Ａ、４Ｂ）へ掛かるように、前記弁装置（上記実施例では電磁弁４
０、開閉弁４７）を開いて、洗浄ノズル（上記実施例では４Ａ、４Ｂ）から洗浄水を噴出
するように動作する。
【００３８】
一方、着座検出装置２５が着座未検出状態であり、上記のように、洗浄開始スイッチ（
上記実施例では４３Ａ、４３Ｂ）の端子部材間が短絡した場合には、使用者が便座２に着
座して着座検出装置２５が着座検出状態になったときは、前記弁装置（上記実施例では電
磁弁４０、開閉弁４７）を閉じたままとし、且つ警報装置８２にて異常を報知するよう制
御部６０が動作する。これが異常モードである。
【００３９】
このような制御を達成するために、制御部６０は、着座検出装置２５の着座検出状態に
おいて洗浄開始スイッチ（上記実施例では４３Ａ、４３Ｂ）による洗浄指令が発せられた
ときは、前記弁装置（上記実施例では電磁弁４０、開閉弁４７）を開いて前記洗浄ノズル
（上記実施例では４Ａ、４Ｂ）から洗浄水を噴出する通常モードとし、前記着座検出装置
２５が着座未検出状態であり前記洗浄開始スイッチ（上記実施例では４３Ａ、４３Ｂ）の
端子部材間が短絡した状態において前記着座検出装置２５が着座検出状態になったときは
、前記弁装置（上記実施例では電磁弁４０、開閉弁４７）を閉じたままとし、且つ前記警
報装置８２にて異常を報知する異常モードとする。
【００４０】
このように、制御部６０は、着座検出装置２５の着座検出した後に、洗浄開始スイッチ
（上記実施例では４３Ａ、４３Ｂ）による洗浄指令が発せられたか、着座検出装置２５の
着座検出する前に、洗浄開始スイッチ（上記実施例では４３Ａ、４３Ｂ）による洗浄指令
が発せられているか（端子が短絡している状態）によって、正常モードか異常モードかを
判定する判定手段を備えており、この判定によって、前記弁装置（上記実施例では電磁弁
４０、開閉弁４７）の開閉制御を行うものである。そして、異常モードでは、警報装置８
２として、ＬＥＤ（発光ダイオード）８２が連続赤色発光または点滅して警告を発する。
なお、警報装置８２は、ブザーであってもよい。
【００４１】
これによって、洗浄開始スイッチ（上記実施例では４３Ａ、４３Ｂ）の端子部材間が何
らかの要因によって短絡した状態になっておれば、この状態で使用者が便座２に着座して
も、弁装置（上記実施例では電磁弁４０、開閉弁４７）を閉じたままであり、使用者が便
座２に着座した途端に洗浄水が噴出することもなくなる。また、この状態は異常状態であ
ることを警報装置８２にて報知するため、使用者はそれによって異常解決の対策をとるこ
とができるものとなる。
【産業上の利用可能性】
【００４２】
本発明は、上記実施例に示した構成に限定されず、種々の形態の温水洗浄便座装置に適
用できるものであり、本発明の技術範囲において種々の形態を包含するものである。
【図面の簡単な説明】
【００４３】
【図１】本発明に係る温水洗浄便座装置の蓋が閉まった状態の斜視図である。
【図２】本発明に係る温水洗浄便座装置の蓋と機能部分のカバーを取り外した状態の機能部分と制御ボックスを示す正面斜視図である。
【図３】本発明に係る温水洗浄便座装置の着座検出スイッチ装置部分の断面図である。
【図４】本発明に係る温水洗浄便座装置の待機モードを示す構成図である。
【図５】本発明に係る温水洗浄便座装置のおしり洗浄モードを示す構成図である。
【図６】本発明に係る温水洗浄便座装置のビデ洗浄モードを示す構成図である。
【図７】本発明に係る温水洗浄便座装置の制御装置の構成図である。
【符号の説明】
【００４４】
１・・・・・温水洗浄便座
２・・・・・便座
３・・・・・開閉蓋
４Ａ・・・・おしり洗浄用ノズル
４Ｂ・・・・ビデ洗浄用ノズル
５・・・・・温水タンク
７・・・・・カバー
８・・・・・基材部
９・・・・・電動機装置
１０・・・・機能部
１２・・・・電動機装置
２４・・・・便座の軸部
２５・・・・着座検出装置
２８・・・・タクトスイッチ
４０・・・・電磁弁
４１・・・・減圧弁
４３Ａ・・・おしり洗浄開始スイッチ
４３Ｂ・・・ビデ洗浄開始スイッ
４４・・・・洗浄停止スイッチ
４６・・・・ステッピングモータ
４７・・・・開閉弁
４８・・・・ノズル通路切り替え弁
４８Ａ・・・連通路
６０・・・・制御部
７０・・・・回動軸
７１・・・・筒体
７２・・・・分岐部
７３・・・・中空通路
７４Ａ・・・おしり洗浄用ノズル４Ａ側の入口通路
７４Ｂ・・・ビデ洗浄用ノズル４Ｂ側の入口通路
７５・・・・タンク水送出パイプ
８０・・・・制御ボックス
８１・・・・絶縁性基板
８２・・・・警報装置
８３・・・・手動操作部
８４・・・・カバー
８５・・・・可撓性薄板
【図１】
2009221656.tif 000003
【図２】
2009221656.tif 000004
【図３】
2009221656.tif 000005
【図４】
2009221656.tif 000006
【図５】
2009221656.tif 000007
【図６】
2009221656.tif 000008
【図７】
2009221656.tif 000009